(57)【要約】【課題】スプールのスカート部内への釣り糸の侵入を防止しつつ、ロータの円筒部からリール本体の内部への水の侵入を抑制することにある。【解決手段】スピニングリール１００は、リール本体２と、ハンドル３と、スプール軸４と、スプール５と、ロータ６と、排水孔７と、を備える。スプール軸４は、ハンドル３の回転に応じてスプール５とともにリール本体２を前後方向に往復移動する。スプール５は、糸巻き胴部５ａ、及び糸巻き胴部５ａの外径よりも大径のスカート部５ｂ、を有する。ロータ６は、スカート部５ｂの外径よりも小径でありスプール軸４が軸方向に貫通する壁部６１、壁部６１から前方に突出して少なくとも一部がスカート部５ｂと径方向に重なる第１円筒部６２、及び壁部６１から後方に突出する第２円筒部６３、を有する。排水孔７は、ロータ６の第１円筒部６２の内側から外側に向かって貫通する。【選択図】図３
2020043768.tif 000002
【特許請求の範囲】
【請求項１】
釣り糸を前方に繰り出し可能なスピニングリールであって
リール本体と、
前記リール本体に回転可能に支持されたハンドルと、
前記ハンドルの回転に応じて前記リール本体を前後方向に往復移動するスプール軸と、
糸巻き胴部、及び前記糸巻き胴部の後部に設けられ前記糸巻き胴部の外径よりも大径のスカート部、を有し、前記スプール軸と一体的に移動するスプールと、
前記リール本体に対して回転可能であり、前記スカート部の外径よりも小径であり前記スプール軸が軸方向に貫通する壁部、前記壁部から前方に突出して少なくとも一部が前記スプールの前記スカート部と径方向に重なる第１円筒部、及び前記壁部から後方に突出する第２円筒部、を有するロータと、
前記ロータの前記第１円筒部の内側から外側に向かって貫通する排水孔と、
を備えた、
スピニングリール。
【請求項２】
前記排水孔は、前記第１円筒部の周方向に沿って延びている、
請求項１に記載のスピニングリール。
【請求項３】
前記排水孔は、前記壁部と前記第１円筒部との境界部分に形成されている、
請求項１又は２に記載のスピニングリール。
【請求項４】
前記排水孔は、後方に向かって前記スプール軸から離れる方向に傾斜する傾斜部を有する、
請求項１から３のいずれかに記載のスピニングリール。
【請求項５】
前記排水孔の前記傾斜部は、後端部が前記第２円筒部の外周部に接続されている、
請求項４に記載のスピニングリール。
【請求項６】
前記ロータは、前記第１円筒部及び前記第２円筒部の径方向外側で互いに対向する１対のロータアームをさらに有し、
前記排水孔は、前記１対のロータアームと径方向に重ならない位置に形成されている、請求項１から５のいずれかに記載のスピニングリール。
【発明の詳細な説明】
【技術分野】
【０００１】
本発明は、釣り用リール、特に、釣り糸を前方に繰り出し可能なスピニングリールに関する。
【背景技術】
【０００２】
釣り糸を前方に繰り出し可能なスピニングリールは、ハンドルの回転に応じてロータが回転して、スプールに釣り糸が巻き付けられる。スプールは、スプール軸に一体移動可能に装着されており、ハンドルの回転に応じてスプール軸とともに前後方向に往復移動する。
【０００３】
スプールは、糸巻き胴部と、糸巻き胴部の後部に設けられたスカート部と、を有している。ロータは、スプール軸が貫通する壁部と、スカート部の内側で少なくとも一部がスカート部と径方向に重複する円筒部と、を有している。径方向において円筒部をスカート部に重複させることで、スカート部内への釣り糸の侵入、及び釣り糸の侵入によるスプール軸への釣り糸の絡みつきを防止している（特許文献１参照）。
【先行技術文献】
【特許文献】
【０００４】
【特許文献１】特許第４３２４４６２号公報
【発明の概要】
【発明が解決しようとする課題】
【０００５】
ロータの円筒部をスプールのスカート部の一部と径方向に重複させてスプールのスカート部内への釣り糸の侵入を防止するには、スプールが最も前方に移動したときにおいても円筒部の一部をスカート部と径方向に重複させる必要がある。このため、例えば、スプールの前後方向の移動量が大きく設定されたスピニングリールでは、円筒部が軸方向に長く形成される。
【０００６】
円筒部を軸方向に長く形成したときにおいて、壁部を円筒部の前端に設けると、円筒部の内部空間が大きくなり、円筒部内に侵入しうる水量も多くなる。このため、特許文献１では、円筒部が壁部よりも前方に突出して形成されている。この場合、円筒部内に水が侵入して円筒部内に水が溜まると、円筒部内からリール本体の内部に水が侵入するおそれがある。
【０００７】
本発明の課題は、スプールのスカート部内への釣り糸の侵入を防止しつつ、ロータの円筒部からリール本体の内部への水の侵入を抑制することにある。
【課題を解決するための手段】
【０００８】
本発明の一側面に係るスピニングリールは、釣り糸を前方に繰り出し可能である。スピニングリールは、リール本体と、ハンドルと、スプール軸と、スプールと、ロータと、排水孔と、を備える。ハンドルは、リール本体に回転可能に支持されている。スプール軸は、ハンドルの回転に応じてリール本体を前後方向に往復移動する。スプールは、スプール軸と一体的に移動する。スプールは、糸巻き胴部、及び糸巻き胴部の後部に設けられ糸巻き胴部の外径よりも大径のスカート部、を有する。ロータは、リール本体に対して回転可能である。ロータは、スカート部の外径よりも小径でありスプール軸が軸方向に貫通する壁部、壁部から前方に突出して少なくとも一部がスプールのスカート部と径方向に重なる第１円筒部、及び壁部から後方に突出する第２円筒部、を有する。排水孔は、ロータの第１円筒部の内側から外側に向かって貫通する。
【０００９】
このスピニングリールでは、ロータの第１円筒部の少なくとも一部がスプールのスカート部の一部と径方向に重なるので、スプールのスカート部内への釣り糸の侵入を防止できる。また、前方からロータの第１円筒部内に水が侵入した場合、第１円筒部内に侵入した水は、排水孔から第１円筒部の外側に排出される。これにより、第１円筒部内に水が溜まることを抑制できるので、第１円筒部からリール本体の内部への水の侵入を抑制することができる。
【００１０】
好ましくは、排水孔は、第１円筒部の周方向に沿って延びている。この場合は、第１円筒部内に侵入した水を効果的かつ速やかに外部に排出することができる。
【００１１】
好ましくは、排水孔は、壁部と第１円筒部との境界部分に形成されている。この場合は、第１円筒部内において壁部の前面部に水が溜まることを抑制できるので、さらに第１円筒部からリール本体の内部への水の侵入を抑制することができる。
【００１２】
好ましくは、排水孔は、後方に向かってスプール軸から離れる方向に傾斜する傾斜部を有する。この場合は、排水孔から排出された水が外部に誘導され易くなるので、スプールのスカート部内に水がとどまり難くなる。
【００１３】
好ましくは、排水孔の傾斜部は、後端部が第２円筒部の外周部に接続されている。この場合は、排水孔から排出された水がより外部に誘導され易くなる。
【００１４】
好ましくは、ロータは、第１円筒部及び第２円筒部の径方向外側で互いに対向する１対のロータアームをさらに有する。排水孔は、１対のロータアームと径方向に重ならない位置に形成されている。この場合は、排水孔から排出された水をロータアームに邪魔されることなくスムーズに外部に排出できる。
【発明の効果】
【００１５】
本発明によれば、スプールのスカート部内への釣り糸の侵入を防止しつつ、ロータの円筒部からリール本体の内部への水の侵入を抑制することができる。
【図面の簡単な説明】
【００１６】
【図１】本発明の一実施形態が採用されたスピニングリールの側面図。
【図２】スピニングリールの断面図。
【図３】ロータの斜視図。
【図４】ロータの断面図。
【発明を実施するための形態】
【００１７】
本発明の一実施形態が採用されたスピニングリール１００は、釣り糸を前方に繰り出し可能である。図１は、スピニングリール１００の側面図である。スピニングリール１００は、図１に示すように、リール本体２と、ハンドル３と、スプール軸４（図２参照）と、スプール５と、ロータ６と、排水孔７（図３参照）と、を備えている。
【００１８】
なお、以下の説明において、釣りを行うときに、釣り糸が繰り出される方向を前、その反対方向を後という。また、左右とは、スピニングリール１００を後方から見たときの左
右をいう。また、スプール軸４が延びる方向を軸方向、スプール軸４と直交する方向を径方向、スプール軸４の軸周りの方向を周方向という。なお、本実施形態における軸方向は、前後方向と一致している。
【００１９】
図２は、スピニングリール１００の断面図である。リール本体２は、リール本体部２ａと、円筒部２ｂと、を有している。リール本体部２ａは内部空間を有しており、内部空間には、周知のオシレーティング機構１２や、ロータ６が駆動される図示しない周知のロータ駆動機構の一部が収容されている。円筒部２ｂは、リール本体部２ａの前部から軸方向に延びている。円筒部２ｂの内部には、ワンウェイクラッチ１４が配置されている。
【００２０】
ハンドル３は、リール本体２に回転可能に支持されている。本実施形態では、ハンドル３は、リール本体２の左側に装着されている。なお、ハンドル３は、リール本体２の右側に装着することもできる。
【００２１】
スプール軸４は、前後方向に延び、リール本体２に支持されている。スプール軸４は、ハンドル３の回転に応じて、オシレーティング機構１２によりリール本体２を前後方向に往復移動する。
【００２２】
スプール５は、スプール軸４の先端に螺合する図示しないナット部材によって、スプール軸４に装着されており、スプール軸４と一体的に移動する。すなわち、スプール５は、スプール軸４とともにリール本体２に対して前後方向に往復移動する。なお、図１及び図２に示すスプール５の位置は、リール本体２に対してスプール５が最も後方に移動したときの位置を示している。
【００２３】
スプール５は、糸巻き胴部５ａと、スカート部５ｂと、を有している。糸巻き胴部５ａは、外周に釣り糸が巻き付けられる。スカート部５ｂは、糸巻き胴部５ａの後部において、糸巻き胴部５ａと一体的に形成されている。スカート部５ｂは、円筒状であり、軸方向に延びている。スカート部５ｂの外径は、糸巻き胴部５ａの外径よりも大径である。
【００２４】
ロータ６は、リール本体２に対して回転可能であり、ハンドル３の回転に応じてスプール５の糸巻き胴部５ａに釣り糸を巻き付ける。ロータ６は、ハンドル３の回転が伝達されるピニオンギア１６に一体回転可能に連結されている。ピニオンギア１６には、ロータ駆動機構を介してハンドル３の回転が伝達される。
【００２５】
図３は、ロータ６の斜視図である。図４は、ロータ６の断面図である。図２から図４に示すように、ロータ６は、壁部６１と、第１円筒部６２と、第２円筒部６３と、１対のロータアーム６４と、を有している。壁部６１は、円板状であり、径方向に延びている。壁部６１は、スプール５のスカート部５ｂの外径よりも小径であり、スカート部５ｂよりも径方向内側に配置されている。壁部６１は、スプール軸４が軸方向に貫通する貫通孔６１ａをその中心に有している。壁部６１は、ピニオンギア１６の先端に螺合するナット部材１８によってピニオンギア１６に一体回転可能に連結されている。
【００２６】
第１円筒部６２は、円筒状であり、壁部６１の外端部から前方に突出している。したがって、第１円筒部６２は、前方に向かって開口し、後方が壁部６１によって覆われている。第１円筒部６２は、少なくとも一部がスプール５のスカート部５ｂと径方向に重なる。詳細には、第１円筒部６２は、スプール５がリール本体２に対して最も前方に移動したとき、及びスプール５がリール本体２に対して最も後方に移動したときのいずれにおいても、少なくとも一部がスプール５のスカート部５ｂと径方向に重なる。すなわち、第１円筒部６２は、スプール５のスカート部５ｂよりも径方向内側に配置され、少なくとも一部がスプール５のスカート部５ｂの内周部に対向して配置されている。これにより、スプール５のスカート部５ｂ内への釣り糸の侵入を第１円筒部６２によって防止できる。
【００２７】
第１円筒部６２は、本実施形態では、壁部６１と別体で構成されている。詳細には、第１円筒部６２は、図２及び図３に示すように、第１円筒部６２から径方向内側に突出する固定部６２ａを有している。固定部６２ａは、ねじ部材２０によって壁部６１に固定されている。これにより、第１円筒部６２が壁部６１に固定されている。
【００２８】
第２円筒部６３は、円筒状であり、壁部６１の外端部から後方に突出している。したがって、第２円筒部６３は、後方に向かって開口し、前方が壁部６１によって覆われている。第１円筒部６２は、スプール５のスカート部５ｂよりも径方向内側に配置されている。第２円筒部６３は、図２に示すように、リール本体２に対してスプール５が最も後方に移動したときにおいて、一部がスプール５のスカート部５ｂの内周部に対向して配置されている。なお、第２円筒部６３は、本実施形態では、スプール５がリール本体２に対して最も前方に移動したときにおいて、スプール５のスカート部５ｂと径方向に重ならない。しかしながら、スプール５がリール本体２に対して最も前方に移動したときにおいて、第２円筒部６３の一部がスプール５のスカート部５ｂと径方向に重なるように構成してもよい。
【００２９】
第２円筒部６３は、壁部６１に一体的に形成されている。第２円筒部６３の外径は、第１円筒部６２の外径と同程度である。第２円筒部６３の内部空間には、リール本体２の円筒部２ｂが収容されている。
【００３０】
１対のロータアーム６４は、図１から図３に示すように、第１円筒部６２及び第２円筒部６３の径方向外側で互いに対向する位置に設けられている。１対のロータアーム６４は、第２円筒部６３と一体的に形成されている。１対のロータアーム６４は、第１円筒部６２及び第２円筒部６３と径方向に間隔を隔てるように第２円筒部６３の後端部から前方に湾曲して形成されている。
【００３１】
排水孔７は、図３及び図４に示すように、ロータ６の第１円筒部６２の内側から外側に向かって貫通して形成されている。排水孔７は、本実施形態では、壁部６１と第１円筒部６２との境界部分において第１円筒部６２を径方向に貫通して形成されている。排水孔７は、２箇所に形成されており、周方向に間隔を隔てて互いに対向する位置に形成されている。排水孔７は、第１円筒部６２の周方向に沿って延びており、１対のロータアーム６４と径方向に重ならない位置に形成されている。
【００３２】
排水孔７は、傾斜部７ａを有している。傾斜部７ａは、第１円筒部６２の周方向に沿って延び、後方に向かってスプール軸４から離れる方向に傾斜している。傾斜部７ａは、本実施形態では、第１円筒部６２の後端部に第１円筒部６２と一体的に形成されている。傾斜部７ａは、軸方向において第１円筒部６２と重なる位置に形成されている。傾斜部７ａは、壁部６１と第２円筒部６３との境界部分に形成された装着部６１ｂに装着されている。装着部６１ｂは、傾斜部７ａに対応する形状を有しており、後方に向かってスプール軸４から離れる方向に傾斜している。傾斜部７ａは、後端部が第２円筒部６３の外周部に段差なく接続されている。すなわち、傾斜部７ａは、後端部の外周面が第２円筒部６３の外周面と面一になるように構成されている。
【００３３】
上記構成のスピニングリール１００では、前方からロータ６の第１円筒部６２内に水（海水を含む）が侵入した場合、図４に矢印で示すように、第１円筒部６２内に侵入した水は、排水孔７によって第１円筒部６２の外側に排出される。これにより、第１円筒部６２内に水が溜まることを抑制できるので、第１円筒部６２からリール本体２の内部への水の侵入を抑制することができる。また、排水孔７が壁部６１と第１円筒部６２との境界部分に形成されているので、第１円筒部６２内において壁部６１の前面部に水が溜まることを抑制できる。これにより、第１円筒部６２からリール本体２の内部への水の侵入をさらに抑制することができる。また、排水孔７に傾斜部７ａを設けることで、排水孔７から排出された水が第２円筒部６３の外周部を伝って外部に誘導され易くなり、スプール５のスカート部５ｂ内に水がとどまり難くなる。
【００３４】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００３５】
（ａ）前記実施形態では、排水孔７を壁部６１と第１円筒部６２との境界部分に設けていたが、排水孔７の位置や形状は、前記実施形態に限定されるものではない。排水孔７は、第１円筒部６２の内側から外側に向かって貫通していればよい。例えば、排水孔７は、第１円筒部６２の中間部を径方向に貫通して形成してもよいし、壁部６１の前面部から第１円筒部６２の外側に接続するように形成してもよい。また、排水孔７は、少なくとも１つあればよい。また、排水孔７に必ずしも傾斜部７ａを設ける必要はない。
【００３６】
（ｂ）前記実施形態では、第１円筒部６２と壁部６１とが別体で構成されていたが、第１円筒部６２と壁部６１とを単一の部材で構成してもよい。
【符号の説明】
【００３７】
２  リール本体
３  ハンドル
４  スプール軸
５  スプール
５ａ  糸巻き胴部
５ｂ  スカート部
６  ロータ
７  排水孔
７ａ  傾斜部
６１  壁部
６２  第１円筒部
６３  第２円筒部
６４  ロータアーム
１００  スピニングリール
【図１】
2020043768.tif 000003
【図２】
2020043768.tif 000004
【図３】
2020043768.tif 000005
【図４】
2020043768.tif 000006